(57)【要約】【課題】複数の防災用照明装置を事前設定された点検スケジュールの基で定期点検途中において、防災用照明装置の点検日の確認と点検日修正が可能な防災用照明装置点検システムが望まれている。【解決手段】防災用照明装置１，２と通信線３にて接続された制御盤装置４からなる防災用照明装置点検システムにおいて、制御盤装置４に設けられた、防災用照明装置を動作させて定期点検を周期的に実施させる点検スケジュールを設定する点検周期設定手段と、この点検スケジュールの基で、防災用照明装置の点検日時、あるいは、点検日時の点検対象の防災用照明装置を表示させる表示手段と、この表示手段に表示された防災用照明装置の点検日時を他の日時に変更させる点検日時変更手段を備えた防災用照明装置点検システム。【選択図】図１
2010153395.tif 000002
【特許請求の範囲】
【請求項１】
ランプと、非常用電源と、通常時は商用電源からの電力にて前記ランプを点灯させ、非常時は前記非常用電源からの電力にて前記ランプを点灯させる点灯回路とを有し、前記ランプと非常用電源の点検を行う点検機能、並びに点検機能の動作指令や点検結果の情報を送受信する伝送機能を備えた防災用照明装置と；
この防災用照明装置の伝送機能と接続され、前記点検機能に対して点検動作の指令の送信と、その点検結果の情報を受信する制御盤装置と；
前記防災用照明装置を動作させて、前記非常用電源からの電力にて前記ランプを所定時間以上点灯させる点検を周期的に実施させるための点検スケジュールを設定する前記制御盤装置に設けられた点検周期設定手段と；
この点検周期設定手段にて設定された前記防災用照明装置の点検スケジュールの基で、前記防災用照明装置の点検日時、あるいは、前記点検日時単位の点検対象防災用照明装置を表示させる前記制御盤装置に設けられた表示手段と；
任意の日付を入力し前記表示手段に任意の日付を表示することができる前記制御盤装置に設けられた日付入力手段と；
前記表示手段に表示された前記防災用照明装置の点検日時を前記日付入力手段で入力した他の日時に変更させる前記制御盤装置に設けられた点検日時変更手段と；
を具備することを特徴とした防災用照明装置点検システム。
【発明の詳細な説明】
【技術分野】
【０００１】
この発明は、防災用照明装置の点検をする防災用照明装置点検システムに関する。
【背景技術】
【０００２】
従来、非常時に誘導路や非常口等を示す照明器具としての誘導路灯器具や非常口灯器具等の防災用照明装置（以下、単に防災用照明装置と称する）は、非常時に商用電源が遮断された際に、最低限規定された時間点灯させるように、非常用電源が内蔵されている。
【０００３】
この防災用照明装置は、非常時に内蔵されている非常用電源にて規定された時間以上点灯できるように、定期的に点検することが法的に義務づけられている。この防災用照明装置の法的な定期点検は、非常用電源により防災用照明装置を例えば２０分または６０分間点灯させることができるか確認するもので、例えば３ヶ月または６ヶ月に一度実施される。また、この定期点検以外に週間単位で、点検スイッチを短時間オンさせて非常用電源による点灯確認を行う日常的点検も実施されることもある。
【０００４】
一般的に、防災用照明装置は、防災用照明装置に設けられている点検スイッチをオンさせている間、商用電源による点灯から非常用電源による点灯に切り換わるようになっている。このために、定期点検時には、点検スイッチを所定の点灯時間である２０分または６０分間オンさせておかなければならない。
【０００５】
また、この定期点検後の非常用電源の充電に時間を要するために、点検後の充電期間に非常事態が生じると非常用電源による点灯が十分確保できないこともある。そのために、少なくとも人の多く集まる時間帯に充電期間とならないように点検したり、あるいは、隣り合った防災用照明装置を同時に点検しないよう配慮する必要がある。
【０００６】
このように人の集まる時間帯や隣り合う器具の同時点検を避ける等の条件の基で、個々の防災用照明装置の点検スイッチを所定時間オンさせて、非常用電源による点灯確認を行うことは大変煩雑な作業である。
【０００７】
このため、点検機能を有する複数の防災用照明装置の例えば誘導灯装置を、通信線を介して誘導灯制御監視盤に接続させ、その誘導灯制御監視盤にて複数の誘導灯装置の所定の周期による点検順位のスケジュール設定と、そのスケジュール設定された点検順位により誘導灯装置個々に対して点検動作の指令を行う誘導灯自動点検システムが、例えば、特許文献１に提案されている。
【先行技術文献】
【特許文献】
【０００８】
【特許文献１】特開２００４−１１１３４７号公報
【発明の概要】
【発明が解決しようとする課題】
【０００９】
上記特許文献１に提案されている誘導灯自動点検システムは、常時ランプまたは非常用電源の状態を監視し続ける監視機能を有し、その監視機能による常時監視と、所定時間以上の非常用電源によりランプを点灯させる定期点検による結果を総合的に評価して、誘導灯の善し悪しを判断する判断部を有する誘導灯装置（なお、特許文献１では誘導灯自動点検装置と称されている）と、この複数の誘導灯装置と通信回線によりネットワーク構築されて、誘導灯装置の制御や監視を行う機能を有する誘導灯制御監視盤とからなっている。
【００１０】
この誘導灯自動点検システムの誘導灯制御監視盤は、複数の誘導灯装置に対して、例えば、３ヶ月に一度のタイミングで定期点検を行うように全ての誘導灯装置を順序よく点検指令を送信するようになっている。
【００１１】
この誘導灯制御監視盤は、誘導灯装置の配置から誘導灯装置個々に識別アドレスである固有ＩＤを付し、かつ、その固有ＩＤを付した誘導灯装置を、例えばフロア単位にグループ化し、そのグループと固有ＩＤにより隣り合った誘導灯装置が同時に点検動作しないように点検スケジュールの設定機能を有している。なお、この点検スケジュールの設定は、誘導灯装置の設置台数、設置場所、人の集合時間帯、及び点検周期等の各種条件を基に設定される。
【００１２】
この定期点検のスケジュールの設定機能を有する誘導灯制御監視盤からの点検指令にて誘導灯装置が効率的に点検動作が行えるようになっている。しかし、この定期点検のスケジュールの基で定期点検の割付が行われた各固有ＩＤ毎の誘導灯装置の定期点検が実行される日時は、誘導灯制御監視盤にて設定されたスケジュールを分析しない限り判明できず、また、固有ＩＤ毎の誘導灯装置の定期点検のスケジュールを途中変更することはできず、もし仮にスケジュールの変更を行う場合は、全ての誘導灯装置の定期点検のスケジュールを新たに設定仕直す必要がある。
【００１３】
しかし、誘導灯装置の定期点検のスケジュールの設定後、あるいは、そのスケジュールの基で定期点検が実行されている途中において、スケジュール設定時の条件と異なるイベントが開催されることがある。このような場合、設定されている定期点検スケジュールを分析して、イベント開催時に定期点検される誘導灯装置の固有ＩＤを検出する繁雑な作業を行わなければならない。また、イベント開催時に点検される誘導灯装置が判明した場合、その該当誘導灯装置の点検日時の変更は、そのイベント開催を加味した新たな条件の基で、改めて点検スケジュールを再設定することになる。
【００１４】
本発明は、このような事情に鑑みてなされたもので、日時や防災用照明装置単位の定期点検日時が容易に検出でき、かつ、その検出した防災用照明装置の点検日時の変更が容易にできる誘導灯点検システムを提供することを目的としている。
【課題を解決するための手段】
【００１５】
請求項１の発明の防災用照明装置点検システムは、ランプと、非常用電源と、通常時は商用電源からの電力にて前記ランプを点灯させ、非常時は前記非常用電源からの電力にて前記ランプを点灯させる点灯回路とを有し、前記ランプと非常用電源の点検を行う点検機能、並びに点検機能の動作指令や点検結果の情報を送受信する伝送機能を備えた防災用照明装置と；この防災用照明装置の伝送機能と接続され、前記点検機能に対して点検動作の指令の送信と、その点検結果の情報を受信する制御盤装置と；前記防災用照明装置を動作させて、前記非常用電源からの電力にて前記ランプを所定時間以上点灯させる点検を周期的に実施させるための点検スケジュールを設定する前記制御盤装置に設けられた点検周期設定手段と；この点検周期設定手段にて設定された前記防災用照明装置の点検スケジュールの基で、前記防災用照明装置の点検日時、あるいは、前記点検日時単位の点検対象防災用照明装置を表示させる前記制御盤装置に設けられた表示手段と；任意の日付を入力し前記表示手段に任意の日付を表示することができる前記制御盤装置に設けられた日付入力手段と；前記表示手段に表示された前記防災用照明装置の点検日時を前記日付入力手段で入力した他の日時に変更させる前記制御盤装置に設けられた点検日時変更手段と；を具備することを特徴としている。
【００１６】
本発明において用語の定義及び技術的意味は次による。
【００１７】
防災用照明装置は、ランプ、非常用電源、通常時は商用電源からの電力にて前記ランプを点灯させ、非常時は前記非常用電源からの電力にて前記ランプを点灯させる点灯回路、前記ランプと非常用電源及び点灯回路等の点検を行う点検機能、並びに点検機能の動作指令や点検結果の情報を送受信する伝送機能からなっている。
【００１８】
ランプは、電球、放電灯、またはＬＥＤ等の非常時に点灯して誘導路や非常口を示す表示パネルを照明するものであればよい。非常用電源は、充電可能なバッテリである。
【００１９】
点灯回路は、通常時は商用電源からの電力により前記ランプを点灯させ、非常時に商用電源からの電力が遮断された際に、その商用電源からの電力遮断を検出して、非常用電源からの電力にて前記ランプを点灯させると共に、通常時に非常用電源を充電するための充電機能を有している。
【００２０】
点検機能は、強制的に点灯回路を非常用電源からの電力にてランプを点灯させて、ランプ、及び非常用電源が所定の時間以上正常に動作するか点検するものである。この点検機能は、後述する制御盤装置からの点検動作指令にて点検動作が行われる。
【００２１】
伝送機能は、後述する制御盤装置と接続され、制御盤装置からの防災用照明装置に対する点検動作の指令を受信したり、点検後の結果情報を送信するものである。
【００２２】
制御盤装置は、複数の防災用照明装置の点検機能を動作させて点検動作を行わせる指令を送信すると共に、その点検結果の情報を受信するものである。
【００２３】
この制御盤装置は、防災用照明装置の点検機能を動作させて、非常用電源からの電力にてランプを所定時間以上点灯させる定期点検を周期的に実施させるための防災用照明装置の点検スケジュールを設定するシーケンスである点検周期設定手段と、この点検周期設定手段にて設定された防災用照明装置の点検スケジュールの基で、防災用照明装置の点検日時、あるいは、点検日時単位の点検対象の防災用照明装置を表示させるシーケンスである表示手段と、及びこの表示手段に表示された防災用照明装置の点検日時を他の日時に変更させるシーケンスである点検日時変更手段を備えたマイクロプロセッサを有して構成することもできる。
【００２４】
または、制御盤装置には、点検周期設定手段にて設定された前記防災用照明装置の点検スケジュールの基で、前記防災用照明装置を点検動作させ、その防災用照明装置の点検結果を収集して記憶する記憶素子を有し、その記憶素子に記憶されている防災用照明装置の点検結果の状態を表示手段に表示させるように構成されていても良い。
【発明の効果】
【００２５】
本発明の誘導灯点検システムは、制御盤装置において設定された防災用照明装置の定期点検のスケジュールから点検日時単位にて点検対象の防災用照明装置、あるいは、防災用照明装置の点検日時を表示することが可能となり、その表示された当初スケジュールの点検日時に対して制御盤装置でイベント等の開催に応じた点検の見直しが効率よく容易に実行できる。
【図面の簡単な説明】
【００２６】
【図１】本発明に係る防災用照明装置点検システムの一実施形態の全体構成を示すブロック図。
【図２】本発明に係る防災用照明装置点検システムの一実施形態に用いる制御盤装置の表面の構成を示す平面図。
【図３】本発明に係る防災用照明装置点検システムの一実施形態に用いる制御盤装置の点検周期を設定する手順を説明する説明図。
【図４】本発明に係る防災用照明装置点検システムの一実施形態に用いる制御盤装置の点検日確認及び点検日変更の手順を説明する説明図。
【発明を実施するための形態】
【００２７】
以下、図面を参照して本発明の実施の形態について詳細に説明する。最初に、図１を用いて本発明に係る防災用照明装置点検システムの一実施形態の全体構成について説明する。建物内の誘導路や非常口の壁面等に設置された誘導灯器具や非常灯器具等からなる複数の防災用照明装置をグループ分けした、第１のグループの防災用照明装置１−１，１−２，１−３，１−４，…と、第２のグループの防災用照明装置２−１，２−２，２−３，２−４，…（以下、防災用照明装置１，２と称する）が通信線３を介して制御盤装置４に接続されている。
【００２８】
防災用照明装置１，２それぞれの構成は図示してないが、誘導路や非常口を示す表示板、この表示板を照明するランプ、非常用電源、通常時は商用電源からの電力にてランプを点灯させ、非常時は非常用電源からの電力にてランプを点灯させる点灯回路を有して、ランプ及び非常用電源の点検を行う点検機能、並びに点検機能の動作指令の信号や点検結果の情報信号を送受信する伝送機能を備えている。
【００２９】
つまり、この防災用照明装置１，２の点灯回路は、通常時は商用電源からの電力によりランプを点灯させ、非常事態により商用電源からの電力が遮断されると、その商用電源が遮断されたことを検知して、非常用電源からの電力にてランプを点灯させる。なお、通常時の商用電源からの電力にてランプを点灯させている状態において、非常用電源を充電させる機能を含んでいる。
【００３０】
また、この点灯回路は、ランプの断線等のランプ異常を検出して表示させる機能と、通常時の商用電源にて点灯の際に非常用電源の充電動作を表示する機能とを有している。
【００３１】
点検機能は、非常用電源からの電力にてランプが点灯するか、及び非常用電源は所定時間ランプを点灯させる電力を有しているか等の非常時の点灯動作に不具合が生じないか点検を行い、その点検結果をＬＥＤを用いて表示されるようになっている。この点検機能による点検動作は、器具に設けられた点検スイッチを操作することで動作させると共に、後述する制御盤装置４からの点検動作の指令信号により点検動作させるようになっている。
【００３２】
この点検機能の点検スイッチに接近した位置には、前記点灯回路のランプ異常表示機能と、充電動作表示機能により点灯するランプモニタと充電モニタ用のＬＥＤが配置されている。
【００３３】
伝送機能は、通信線３を介して制御盤装置４から送信された点検動作の指令信号を受信して点検機能の点検動作を開始させたり、点検機能による点検結果の情報を制御盤装置４へ送信する。
【００３４】
また、防災用照明装置１，２には、それぞれを識別するための固有ＩＤであるアドレスが付されている。更に、防災用照明装置１，２の数量にもよるが、例えばエリア毎やフロア毎にグループ分けされている。なお、図１は、複数の防災用照明装置を２つのグループに分けられ、第１のグループの防災用照明装置１にアドレス１−１〜１−ｎが付され、第２のグループの防災用照明装置２にアドレス２−１〜２−ｎが付されている例を示している。
【００３５】
制御盤装置４は、通信線３を介して、防災用照明装置１，２に接続され、この防災用照明装置１，２の点検動作の制御と、点検結果の情報の収集と記憶、及びその点検結果の情報の表示が可能となっている。
【００３６】
この制御盤装置４の表面の構成について、図２を用いて説明する。制御盤装置４の表面には、制御盤装置４の通電状態を表す電源ＬＥＤ１１、この制御盤装置４の各種制御モードの設定をリセットする設定リセットスイッチ１２、制御盤装置４により制御する防災用照明装置１，２の点検結果情報や後述する本発明に係る防災用照明装置１，２の点検スケジュールの確認及び変更等の表示を行う表示部１３、制御盤装置４の各種動作モードの設定や、その動作モードの開始指令等を入力するために設けられたＳＨＩＦＴボタン１４、アドレス確認ボタン１５、時刻／日付ボタン１６、設定ボタン１７、点検実施ボタン１８、ＥＮＴＥＲボタン１９からなる入力ボタンが設けられている。
【００３７】
表示部１３には、防災用照明装置１，２を点検動作させた結果、異常が検出された防災用照明装置１，２のアドレスや、後述する点検スケジュールに基づく日時などを表示する異常機器番号表示部２０、防災用照明装置１，２の異常内容や点検動作などの状態を表示する機器状態表示部２３、及び防災用照明装置１，２を操作する機器操作部２４の３つのエリアからなっている。
【００３８】
異常機器番号表示部２０には、防災用照明装置１，２の固有ＩＤであるアドレス、点検の日付や時刻を７つのセグメントにて数字を表示させる７セグメント素子を４つ並べて４桁の数字を表示させる数字表示部２１、この数字表示部２１に表示されている数字が防災用照明装置１ｎ，２のアドレス、日付、及び時刻のいずれの項目であるか表示させる数字項目表示部２２からなっている。この数字項目表示部２２には、アドレス、日付、及び時刻の項目表記と、その項目表記の図中左隣にＬＥＤを設け、そのＬＥＤが点灯された項目の数字が数字表示部２１に表示されるようになっている。
【００３９】
機器状態表示部２３には、防災用照明装置１，２の異常内容と点検状態を表示する項目である電池、ランプ、器具、通信、点検中、点検中断、及び電池寿命等の項目表記と、それぞれの項目表記の図中左隣にＬＥＤが設け、そのＬＥＤが点灯された項目が機器の状態を示すようになっている。
【００４０】
機器操作部２４には、防災用照明装置１，２の点検の結果、異常が検出されると異常発生を告知するための異常ランプ２５ａ、この異常ランプ２５ａが点灯した際に異常内容を確認するために操作する確認ボタン２５ｂ、及び数字表示部２１に表示されている数字を前または次の数字に変更させるための前次ボタン２６からなっている。
【００４１】
この制御盤装置４の内部には、図示してないが、入力ボタン１４〜１９、確認ボタン２５ｂ、及び前次ボタン２６の操作により防災用照明装置１，２の点検始動、点検結果情報の収集記憶、異常機器番号表示部２０や機器状態表示部２３等の駆動を制御する各種シーケンスが内蔵された制御部と、通信線３を介して防災用照明装置１，２との点検動作指令や点検結果情報等の信号を送受信する伝送機能が設けられている。
【００４２】
制御部は、マイクロプロセッサからなり、防災用照明装置１，２を所定の周期にて順序よく点検するための点検スケジュールを作成するための点検周期設定シーケンスである点検周期設定手段、この点検周期設定手段により設定された点検スケジュールの基で順次点検動作された防災用照明装置１，２の点検結果の情報を記憶する記憶手段、点検周期設定手段により設定されている点検スケジュールの基で、防災用照明装置１，２の個々の点検日の検出と、個々の点検日の修正変更を行うためのシーケンスである点検日時変更手段、及び記憶手段に記憶されている防災用照明装置１，２の点検結果の情報を異常機器番号表示部２０、機器状態表示部２３、並びに機器操作部２４に表示させる表示シーケンスである表示手段等が設けられている。
【００４３】
次に、この制御盤装置４に設けられている点検周期設定手段による通信線３を介して接続されている複数の防災用照明装置１，２の点検スケジュールの設定手順について、図３を用いて説明する。
【００４４】
この点検スケジュールは、前述したように、法的に定められている２０分または６０分以上継続して、強制的に非常用電源からの電力にてランプを点灯させ、非常用電源が２０分または６０分以上ランプを点灯させる能力を有しているか、点灯回路が正常に動作するか、あるいはランプの切れ等の定期点検を３ヶ月または６ヶ月などの一定の周期間隔で全ての防災用照明装置１，２を順次点検させるためのものである。また、この定期点検において、隣り合う防災用照明装置を同時に点検すると、その点検期間終了後の非常用電源の充電期間に非常事態が生じた際に、非常用電源が十分充電されていないために、非常時の点灯時間が短くなり誘導灯としての役目を果たせない問題がある。
【００４５】
そのために、点検スケジュールの設定においては、防災用照明装置１，２の中で隣り合うものが同時に点検動作しないように配慮して点検される防災用照明装置１，２の組合せと順位を割付設定する。なお、防災用照明装置１，２を隣り合うものが同時に点検動作しないような割付設定は、前述した特許文献１に提案されている方法と略同様な方法により設定する。
【００４６】
この点検スケジュール作成である点検周期設定は、制御盤装置４の入力ボタンの設定ボタン１７を操作して、制御盤装置４の点検周期設定手段である点検周期設定シーケンスを読み出す（手順１）。この手順１の設定ボタン１７を操作して点検周期設定シーケンスが読み出されるとＥＮＴＥＲボタン１９を操作して、事前に組合せや順位が割付設定されている防災用照明装置１，２を何日、または何ヶ月掛けて順次点検させるか点検周期を数字表示部２１に表示させる（手順２）。この手順２が操作されると数字表示部２１の図中の左側の２桁はに点検する周期の月を表示させる。なお、図３の図中に示している数字表示部２１の左側２桁に月表示部２１ａ、右側２桁に日表示部２１ｂと区分し、月表示部２１ａに１ヶ月を示す「１」を表示させた状態を示している。
【００４７】
すなわち、手順２のＥＮＴＥＲボタン１９が操作されると、数字表示部２１に最少の月単位の周期である「１」が表示される。この手順２の操作により数字表示部２１の月表示部２１ａに表示された月数「１」を、たとえば、防災用照明装置１，２を２ヶ月、あるいは、３ヶ月掛けて点検させる場合は、前次ボタン２６を用いて月数を変更する（手順３）。この手順３において、数字表示部２１の月表示部２１ａに表示された月数の周期で防災用照明装置１，２を割付設定された順に定期点検する場合は、その周期による定期点検を確定設定するためにＥＮＴＥＲボタン１９を操作する（手順４）。
【００４８】
これにより、図３に示すように、点検スケジュール３１が生成される。この点検スケジュール３１は、第１と第２のグループに分けた定期点検対象の防災用照明装置１，２には、それぞれ１グループ３０台の防災用照明装置がある場合に、設定点検周期１ヶ月した場合の点検日単位の点検対象の防災用照明装置１，２のアドレスが設定される。つまり、１日に各グループ１台づつの順に定期点検して、１ヶ月掛けて２グループ合計６０台の防災用照明装置１，２の点検を行うスケジュールが設定される。
【００４９】
なお、この法的に定められた定期点検以外に、自主的に週間単位や日数単位の周期で点検設定することも可能である。また、その週間単位や日単位の自主的な点検の点検時間は、つまり、非常用電源からの電力にてランプを点灯させる時間は、短時間とすることもできる。更に、この週間単位や日単位の自主的点検と法的に定められた定期点検を組み合わせた点検スケジュールとすることもできる。
【００５０】
このようにして、点検周期設定手段より設定された点検スケジュールの基で、制御盤装置４からの点検動作指令により防災用照明装置１，２を順次定期点検が実行される。
【００５１】
次に、この制御盤装置４に設けられている点検日時変更手段により、点検スケジュールの基での定期点検される防災用照明装置１，２個々の点検日の確認と、個々の点検日の修正変更を行う点検日時変更の手順について、図４を用いて説明する。
【００５２】
この点検日時の確認と変更は、点検周期設定手段により設定された点検スケジュールの基で、制御盤装置４からの点検動作指令にて防災用照明装置１，２の定期点検が実行されている途中において、当初計画されていないイベントが行われることが決定し、そのイベントの開催される期間や場所の防災用照明装置１，２の定期検査の計画確認と、もし仮にイベント開催期間と場所の防災用照明装置１，２の定期点検が行われる計画の場合は、その防災用照明装置１，２の点検日時の変更を行い、イベント開催期間中のイベント開催場所の防災用照明装置１，２の定期点検を回避させるものである。
【００５３】
最初に入力ボタンのＳＨＩＦＴボタン１４と時刻／日付ボタン１６を同時に操作すると、数字表示部２１に現在の月日、例えば、２月１日が表示される（手順１）。この手順１の操作にて現在の月日が表示されると、次に、ＥＮＴＥＲボタン１９を操作して、イベントが開催される月日に設定するためにＥＮＴＥＲボタン１９を操作すると数字表示部２１に表示されている月日のうち、日付けを示す日表示部２１ｂを点滅させて日付の変更が可能な状態に設定する（手順１２）。この手順１２にて数字表示部２１の日表示部２１ｂが点滅すると、前次ボタン２６の次ボタンを操作して、数字表示部２１の日表示部２１ａの日付をイベントの開催日付である、例えば、２月１０日と表示させる（手順１３）。この手順１３の操作によりイベントの開催日付が表示された状態で、アドレス確認ボタン１５を操作すると、その数字表示部２１に表示されていた月日である２月１０日に定期点検される防災用照明装置１，２のアドレスが検索され、その検索された防災用照明装置１，２のアドレスが数字表示部２１に表示されている月日に変えて、例えば、防災用照明装置１のアドレス１−１０が表示される（手順１４）。つまり、数字表示部２１の月表示部２１ａに防災用照明装置１，２のグループ番号、日表示部２１ｂにそのグループの中のアドレス番号が表示される。もし仮に、イベント開催日である２月１０にアドレス１−１０以外の防災用照明装置１，２が同時に定期点検されるスケジュールの場合は、アドレス確認ボタン１５を再度操作すると、アドレス１−１０と同時に点検される防災用照明装置１，２のアドレスが表示される。
【００５４】
この手順１４のアドレス確認ボタン１５の操作にて、数字表示部２１に表示された防災用照明装置１，２のアドレスからイベント開催日に定期点検が計画されている防災用照明装置１，２を確認することができる。この手順１４のアドレス確認ボタン１５の操作により、イベント開催日に定期点検される防災用照明装置１，２のアドレス確認によりその防災用照明装置１，２の定期点検をスケジュール通り実行させることに問題ない場合は、ＥＮＴＥＲボタン１９を操作して、この点検確認を終了させる（手順１７）。
【００５５】
手順１４における防災用照明装置１，２のアドレス確認の結果、そのアドレスの防災用照明装置１，２の定期点検の日付を他の日付に変更する必要がある場合は、設定ボタン１７を操作して、数字表示２１にそのアドレスの防災用照明装置１，２の定期点検日付、すなわち、イベント開催日付を再度表示させると共に、日表示部２１ｂに表示されている日付を点滅させて、日付の変更を可能な状態とする（手順１５）。
【００５６】
この手順１５にて数字表示部２１の日表示部２１ｂが点滅すると、前次ボタン２６の次ボタンを操作して、数字表示部２１の日表示部２１ａの日付をイベント開催日付と異なる日付に順次先送りして、例えば、イベント期間終了後の２月１５日と表示させる（手順１６）。この手順１６の操作によりイベントの開催終了後の日付が表示されると、ＥＮＴＥＲボタン１９を操作すると、その数字表示部２１に表示されていた月日である２月１５日にイベント開催場所の防災用照明装置１，２の定期点検日が変更される（手順１７）。
【００５７】
このように、事前に設定された周期により設定された定期点検スケジュールから、特定の日付に定期点検が行われる防災用照明装置１，２のアドレスを検出して表示させことで、点検日時と点検対象の防災用照明装置１，２の確認が簡単に行えると共に、その点検対象の防災用照明装置１，２の点検日時を変更する場合も容易に変更可能となる。
【００５８】
なお、この制御盤装置４からの防災用照明装置１，２に対する点検動作の制御は、前述した点検周期設定手段にて点検スケジュールを設定後、入力ボタンの点検実施ボタン１８を操作すると、点検スケジュールの基で、防災用照明装置１，２に順次点検指令を送信して、定期点検を実行させる。各防災用照明装置１，２がぞれぞれ制御盤装置４からの点検指令の下で点検した結果の情報は、順次制御盤装置４に送信されて、図示してない記憶手段に記憶される。それぞれの防災用照明装置１，２から送信された点検結果に異常が検出されると、異常ランプ２５ａを点灯させる。
【００５９】
この異常ランプ２５ａが点灯されると、作業員は、確認ボタン１５を操作すると数字表示部２１に異常が検出された防災用照明装置１，２のアドレス表示に変更され、その表示された異常検出されたアドレスの防災用照明装置１，２による異常内容に応じて機器状態表示部２３の項目のＬＥＤが点灯する。
【００６０】
また、防災用照明装置１，２を複数同時に点検されている場合は、前次ボタン２６を操作して、防災用照明装置１，２のアドレスを変更表示させることで、順次アドレス毎の防災用照明装置の異常内容を生じさせることができる。
【００６１】
なお、上述した本発明の実施形態において、防災用照明装置１，２と制御盤装置４とは、通信線３を介して相互に情報の送受信を行っている例を説明したが、通信線３に変えて無線により相互の情報の送受信を行うことも可能である。
【符号の説明】
【００６２】
１、２・・防災用照明装置、３・・通信線、４・・制御盤装置、１３・・表示部、１４・・ＳＨＩＦＴボタン、１５・・アドレス確認ボタン、１６・・時刻／日付ボタン、１７・・設定ボタン、１８・・点検実施ボタン、１９・・ＥＮＴＥＲボタン、２０・・異常機器番号表示部、２１・・数字表示部、２２・・数字項目表示部、２３・・機器状態表示部、２４・・機器操作部、２５ａ・・異常ランプ、２５ｂ・・確認ボタン、２６・・前次ボタン。
【図１】
2010153395.tif 000003
【図２】
2010153395.tif 000004
【図３】
2010153395.tif 000005
【図４】
2010153395.tif 000006